(57)【特許請求の範囲】
【請求項１】
複数のアイアンを含む複数のゴルフクラブの各ヘッドを支持し、かつ前記各ヘッドの回転を抑止する支持部と、
前記複数のゴルフクラブの各シャフト側を収納するための収納体の口枠を構成する仕切りであって前記収納体を複数の領域に分割するための仕切りに前記支持部を着脱機構によって連結するための連結部と、
を有し、
前記支持部は、鉛直方向を長手方向とする棒状の部材を用いずに、かつ隣接するゴルフクラブのトップライン部を除くヘッド間に障害物を設けず、前記複数のゴルフクラブの前記各シャフトの長さ方向において異なる位置で前記各ヘッドのトップライン部のみを支持するための、前記複数のゴルフクラブの各トップライン部の形状に応じた形状を有する複数の溝であって、少なくとも２つの形状が互いに異なる前記複数の溝を設けた板状又はフレーム状の剛体で前記各ヘッドを支持する構造を有し、
前記支持部に、前記複数のゴルフクラブの少なくとも一部の複数のシャフトと前記支持部との間に形成される空隙を埋める位置に配置され、前記複数の溝の長さ方向における前記複数のゴルフクラブの少なくとも一部の移動を抑止するためのスペーサを設けたゴルフクラブ支持器具。
【請求項２】
請求項１記載のゴルフクラブ支持器具と、
前記収納体と、
を有するゴルフバッグ。
【発明の詳細な説明】
【技術分野】
【０００１】
本発明は、ゴルフクラブ支持器具及びゴルフバッグに関する。
【背景技術】
【０００２】
ゴルフバッグは、異なる種類の複数のゴルフクラブを収納して持ち運ぶためのバッグである。ゴルフクラブは、ボールを打つためのヘッドにシャフトを連結して構成される。また、シャフトにはユーザが握るためのグリップが取付けられる。そして、ゴルフバッグには、通常、シャフト側を底側、ヘッド側を口側に向けて各ゴルフクラブが収納される。
【０００３】
このため、従来、複数のゴルフクラブをゴルフバッグに収納して持ち運ぶ際に、ヘッド同士の衝突を回避したり、プレー中においてゴルフバッグに収納された複数のゴルフクラブから適切なゴルフクラブを容易に選択できるようにするために、様々な器具が考案されている（例えば特許文献１、特許文献２及び特許文献３参照）。
【先行技術文献】
【特許文献】
【０００４】
【特許文献１】特開平１１−１２８４２３号公報
【特許文献２】実開平７−４３７９０号公報
【特許文献３】特表平９−５１１４１６号公報
【発明の概要】
【発明が解決しようとする課題】
【０００５】
ゴルフバッグに要求される事項としては、構造が簡易であること、汎用性が高いこと、多数のゴルフクラブを収納できること、メンテナンスが容易であること、製造コストを安価にできること等の様々な事項が挙げられる。
【０００６】
そこで本発明は、様々な要求事項を満たすために好適な構造を有するゴルフクラブ支持器具及びゴルフバッグを提供することを目的とする。
【課題を解決するための手段】
【０００７】
本発明の実施形態に係るゴルフクラブ支持器具は、支持部と連結部とを有する。支持部は、複数のアイアンを含む複数のゴルフクラブの各ヘッドを支持し、かつ前記各ヘッドの回転を抑止する。連結部は、前記複数のゴルフクラブの各シャフト側を収納するための収納体の口枠を構成する仕切りであって前記収納体を複数の領域に分割するための仕切りに前記支持部を着脱機構によって連結する。前記支持部は、鉛直方向を長手方向とする棒状の部材を用いずに、かつ隣接するゴルフクラブのトップライン部を除くヘッド間に障害物を設けず、前記複数のゴルフクラブの前記各シャフトの長さ方向において異なる位置で前記各ヘッドのトップライン部のみを支持するための、前記複数のゴルフクラブの各トップライン部の形状に応じた形状を有する複数の溝であって、少なくとも２つの形状が互いに異なる前記複数の溝を設けた板状又はフレーム状の剛体で前記各ヘッドを支持する構造を有する。更に、前記支持部には、前記複数のゴルフクラブの少なくとも一部の複数のシャフトと前記支持部との間に形成される空隙を埋める位置に配置され、前記複数の溝の長さ方向における前記複数のゴルフクラブの少なくとも一部の移動を抑止するためのスペーサが設けられる。
また、本発明の実施形態に係るゴルフバッグは、前記ゴルフクラブ支持器具と前記収納体とを有する。
【発明の効果】
【０００８】
本発明の実施形態に係るゴルフクラブ支持器具及びゴルフバッグによれば、好適な構造によって様々な要求事項を満たすことができる。
【図面の簡単な説明】
【０００９】
【図１】本発明の第１の実施形態に係るゴルフクラブ支持器具を備えたゴルフバッグの正面図。
【図２】ゴルフクラブの各部の名称を示す図。
【図３】図１に示す収納体の口枠の構造の一例を示す斜視図。
【図４】図１に示すゴルフクラブ支持器具の構造例を示す正面図。
【図５】図４に示すゴルフクラブ支持器具の右側面図。
【図６】図４に示すゴルフクラブ支持器具の背面図。
【図７】図４に示すゴルフクラブ支持器具の斜視図。
【図８】図７に示すゴルフクラブ支持器具の支持部にゴルフクラブをセットした状態を示す図。
【図９】本発明の第２の実施形態に係るゴルフバッグに備えられるゴルフクラブ支持器具の構造例を示す正面図。
【図１０】図９に示すゴルフクラブ支持器具の右側面図。
【図１１】図９に示すゴルフクラブ支持器具の背面図。
【図１２】図９に示すゴルフクラブ支持器具の支持部にゴルフクラブをセットした状態を示す斜視図。
【発明を実施するための形態】
【００１０】
本発明の実施形態に係るゴルフクラブ支持器具及びゴルフバッグについて添付図面を参照して説明する。
【００１１】
（第１の実施形態）
（構成および機能）
図１は本発明の第１の実施形態に係るゴルフクラブ支持器具を備えたゴルフバッグの正面図である。
【００１２】
ゴルフバッグ１は、収納体２にゴルフクラブ支持器具３を設けて構成される。収納体２は、複数のゴルフクラブの各シャフト側を収納するための袋状のバッグである。収納体２の底部には、ゴルフバッグ１を地面に設置するためのボトム４が設けられる。一方、収納体２の口側には、ゴルフクラブの各シャフト側を出し入れするための口枠５が設けられる。また、収納体２には、ユーザが肩に掛けるためのショルダーベルト６の他、所望の位置にポケットを設けることができる。従って、収納体２は、従来の市販のゴルフバッグと同様なバッグである。
【００１３】
典型的な収納体２の口枠５は、仕切りによって分割される。このため、口枠５を構成する仕切りによって収納体２の内部を区分することができる。そして、ゴルフクラブを種類別に収納体２に収納することができる。
【００１４】
ゴルフクラブは、ウッド、アイアン及びパターに大別することができる。また、ゴルフクラブには長さに応じた番手と呼ばれる番号が付され、番号が大きい程、長さが短くなる。但し、アイアンには、番号が付されないウェッジと呼ばれる短いクラブもある。他に、アイアンとウッドの中間的特性を持つゴルフクラブとして、形状がアイアン型のユーティリティや形状がウッド型のハイブリッドが知られている。このように、ゴルフクラブの種類は、クラブ名称と番号によって識別することができる。
【００１５】
図２は、ゴルフクラブの各部の名称を示す図である。
【００１６】
ゴルフクラブ１０は、ヘッドにシャフトを連結して構成される。シャフトにはグリップが取付けられる。ヘッドのボールを打つ面は、フェースと呼ばれる。フェースには、スコアラインと呼ばれる溝が設けられる。尚、スコアラインは、フェースラインと呼ばれる場合もある。フェースの裏面は、バックフェースと呼ばれる。また、ヘッドの先端はトゥと呼ばれ、シャフト側の端部はヒールと呼ばれる。
【００１７】
ゴルフクラブ１０のヘッドを振り上げる前における使用状態において、ヘッドの底はソールと呼ばれ、ヘッドの上部における縁はトップラインと呼ばれる。尚、トップラインは、トップブレードと呼ばれる場合もある。また、ヘッドの最も高い部分は、クラウンと呼ばれる。尚、ウッドの場合には、クラウンがヘッドの上面を意味する。
【００１８】
ユーザが使用することが可能なゴルフクラブ１０の本数は、一人につき１４本までである。従って、３〜４本のウッド、８〜９本のアイアン及び１本のパターの組合せでクラブセットが構成される場合が多い。そして、ユーザの好みに応じたゴルフクラブ１０の組合せを口枠５の仕切りを利用して整理しつつ収納体２に収納することができる。特に、アイアンの本数はユーザの好みによって変わる場合が多い。
【００１９】
図３は、図１に示す収納体２の口枠５の構造の一例を示す斜視図である。
【００２０】
図３は、収納体２を６分割するための仕切り２０を設けた口枠５の構造例を示している。図３に示す例の他、口枠５の仕切り２０には３分割や４分割など、様々なタイプがある。ゴルフクラブ１０の最大本数は１４本であるため、収納体２は口枠５によって最多１４分割される。従って、ゴルフクラブ１０の組合せに加え、口枠５による収納体２の分割数についてもユーザの好みに応じて決定される。
【００２１】
収納体２には、ゴルフクラブ１０のシャフトが挿入される。従って、口枠５からは、各ゴルフクラブ１０のヘッドがソールを上方に向けて突出することとなる。そこで、収納体２を３〜６分割する典型的な口枠５を有する収納体２の場合には、ウッド、主要なアイアン及びその他のゴルフクラブ１０に整理してゴルフクラブ１０を収納することができる。
【００２２】
しかし、ゴルフクラブ１０が回転すると、ゴルフクラブ１０のヘッド同士が衝突してゴルフクラブ１０に傷が付く恐れがある。特に、口枠５によって形成される区画に複数のアイアンを収納すると、アイアン同士が互いに干渉して傷が付く可能性が高い。また、ゴルフのプレーを円滑に進行するためには、ゴルフバッグ１に収納された複数のゴルフクラブ１０から適切なゴルフクラブ１０を速やかに選択して取出することが重要である。一方、ゴルフクラブ１０の使用後には、速やかにゴルフバッグ１に収納することが重要である。加えて、ゴルフバッグ１は、ゴルフクラブ１０を収納した状態においても外観が良好であることが好ましい。
【００２３】
このような事情により、ゴルフバッグ１には、ゴルフクラブ１０の回転抑止による損傷の回避並びに外観向上及び作業性向上のための適切なゴルフクラブ１０の配置が要求される。そこで、ゴルフクラブ１０の回転を抑止し、かつゴルフクラブ１０を適切な向き及び位置で整列配置できるように、収納体２にはゴルフクラブ支持器具３が取付けられる。
【００２４】
図４は、図１に示すゴルフクラブ支持器具３の構造例を示す正面図、図５は図４に示すゴルフクラブ支持器具３の右側面図、図６は図４に示すゴルフクラブ支持器具３の背面図、図７は図４に示すゴルフクラブ支持器具３の斜視図である。
【００２５】
ゴルフクラブ支持器具３は、収納体２の口枠５に連結することが可能な構造を有している。そのために、ゴルフクラブ支持器具３は、支持部３０と連結部３１とを有する。支持部３０は、複数のゴルフクラブ１０の各ヘッドを支持する機能と、各ヘッドの回転を抑止する機能を有する。また、連結部３１は、支持部３０を、複数のゴルフクラブ１０の各シャフト側を収納するための収納体２に連結するための部分である。
【００２６】
連結部３１は、収納体２の口枠５を構成する仕切り２０に支持部３０を連結するように構成することが合成を確保する観点から望ましい。すなわち、連結部３１により口枠５の仕切り２０以外の外周部分に支持部３０を連結するように構成することもできるが、口枠５の仕切り２０に支持部３０を連結するように構成すれば、ゴルフクラブ１０をセットした状態における支持部３０の重心に近い位置で支持部３０を安定的に支えることが可能となる。
【００２７】
また、連結部３１で支持部３０を収納体２と一体化することも可能であるが、着脱機構によって取外し可能に支持部３０を収納体２に連結することもできる。特に、ユーザが容易に支持部３０を収納体２に着脱できるように連結部３１の構成要素として着脱機構を用いれば、従来のバッグにアタッチメントとして支持部３０を取付けることができる。すなわち、ゴルフクラブ支持器具３に汎用性が得られる。加えて、支持部３０を収納体２から取り外して収納体２の内部を容易に掃除することも可能となる。すなわち、収納体２のメンテナンスが容易となる。
【００２８】
図示された例では、連結部３１が２枚の板状部材で口枠５の仕切り２０を挟持する構造となっている。このため、例えば２枚の板状部材を仕切り２０の一部に嵌合させれば、支持部３０が収納体２に対して着脱可能となる。もちろん、ネジやピン等の固定器具を用いて支持部３０を収納体２に着脱可能に、或いは着脱できないように連結することもできる。
【００２９】
また、連結部３１の構造を、口枠５の仕切り２０の一部と支持部３０とを連結する構造とすれば、様々な仕切り２０を有する口枠５に汎用的に支持部３０を取付けることが可能となる。例えば、図示された例のように、３箇所で支持部３０と口枠５とを連結するように連結部３１を構成すれば、仕切り２０の位置が異なる口枠５であっても、支持部３０を口枠５に連結することができる。
【００３０】
図８は図７に示すゴルフクラブ支持器具３の支持部３０にゴルフクラブ１０をセットした状態を示す図である。
【００３１】
支持部３０の構造は、図示されるように、隣接するゴルフクラブ１０のヘッド間に障害物を設けず、各ヘッドのトップライン部を支持するための溝３２を板状部材に設けた構造とすることが、より多くのゴルフクラブ１０をセットできるようにする観点から好適である。つまり、支持部３０の構造を、壁面でヘッドの回転を防止するのではなく、トップライン部にフィットする溝３２でヘッドの回転を防止する構造とすることができる。
【００３２】
これにより、ゴルフクラブ１０同士を、より接近した位置に配置することができる。その結果、ユーザの好みに応じたより多くのゴルフクラブ１０をゴルフバッグ１に収納することが可能となる。
【００３３】
図示された例では、主要なアイアンの整列用の第１の支持部３０Ａと、他のアイアン及びパターの整列用の第２の支持部３０Ｂがゴルフクラブ支持器具３に設けられている。第１の支持部３０Ａには、本数が多く、かつ干渉による損傷の回避が最も望まれる複数のアイアンのトップライン部を支持するための溝３２が形成されている。一方、第２の支持部３０Ｂには、他のアイアン及びパターのトップライン部を支持するための溝３２が形成されている。
【００３４】
第１の支持部３０Ａには、特に、複数のアイアンの各トップライン部の形状に応じた形状を有する複数の溝３２を形成することができる。すなわち、図示された第１の支持部３０Ａには、異なるアイアンのトップライン部のみを支持するＶ字状の溝３２が形成されているが、溝３２の形状は一定ではない。換言すれば、ある溝３２の形状が他の少なくとも１つの溝３２の形状と異なる形状になっている。
【００３５】
また、Ｖ字状等の溝３２を線対称でない溝３２とすることもできる。図示された例では、ヘッドのフェース側とバックフェース側で傾斜が異なるＶ字状の溝３２が第１の支持部３０Ａに形成されている。このように、少なくとも２つの形状が互いに異なる複数の溝３２を第１の支持部３０Ａに形成したり、非線対称な溝３２を第１の支持部３０Ａに形成することによって、複数のアイアンのトップライン部にフィットするＶ字状等の溝３２を第１の支持部３０Ａに設けることができる。その結果、アイアンのヘッドの回転を効果的に防止することができる。
【００３６】
これは、第２の支持部３０Ｂにおいても同様である。すなわち、アイアン及びパターのトップライン部にフィットするＶ字状等の溝３２を第２の支持部３０Ｂに設けることができる。もちろん、３つ以上の支持部３０を設け、ウッド等のゴルフクラブ１０を支持できるようにしてもよい。そして、口枠５により形成される区画の目的に合わせて支持部３０を配置することができる。
【００３７】
また、図示された例では、第１の支持部３０Ａが、複数のゴルフクラブ１０の各シャフトの長さ方向において異なる位置で各ヘッドを支持するように構成されている。すなわち、第１の支持部３０Ａでは、複数のアイアンの各トップライン部を支持する位置の高さが互いに異なる。このため、ヘッド同士の干渉を一層回避し、より多数のアイアンをゴルフバッグ１に収納することが可能となる。
【００３８】
更に、図示されるように第１の支持部３０Ａの構造を板状とすれば、第１の支持部３０Ａの構造が簡易となる。このため、ゴルフクラブ支持器具３の製造が容易となる。但し、剛性が得られれば、第１の支持部３０Ａの構造を板状に限らずフレーム状としてもよい。すなわち、板状又はフレーム状の剛体にヘッドを支持するための溝３２を設けて第１の支持部３０Ａを構成することができる。板状又はフレーム状の剛体で第１の支持部３０Ａを構成すれば、鉛直方向を長手方向とする棒状の部材でヘッドを支持する構造に比べて高い剛性を得ることができる。
【００３９】
特に、第１の支持部３０Ａ及び第２の支持部３０Ｂを口枠５の仕切り２０に荷重を掛ける構造とすれば、第１の支持部３０Ａ及び第２の支持部３０Ｂを口枠５の外周のみに荷重を掛ける構造に比べて、強度を担う第１の支持部３０Ａに要求される剛性を低減させることができる。つまり、板状又はフレーム状の剛体で第１の支持部３０Ａを構成することにより十分な剛性を確保する一方、第１の支持部３０Ａを口枠５の仕切り２０上に設置することにより、第１の支持部３０Ａに要求される剛性を低減させることができる。
【００４０】
このため、木、金属又は樹脂等の様々な材料を用いて支持部３０を構成することが可能となる。特に、フレーム状の剛体で支持部３０を構成すれば、材料の節約や重量の軽減に繋げることができる。また、プラスチックを用いて支持部３０を構成すれば、プラスチックの射出成形によって安価にゴルフクラブ支持器具３を量産することが可能となる。
【００４１】
つまり以上のようなゴルフバッグ１は、ゴルフクラブ１０の収納口を構成する口枠５上に、ゴルフクラブ１０のヘッドを支持することによりゴルフクラブ１０の回転を抑止しつつ整列配置するためのゴルフクラブ支持器具３を設けたものである。
【００４２】
（効果）
このためゴルフクラブ支持器具３及びゴルフバッグ１によれば、ゴルフクラブ１０同士の接触を防止することができる。その結果、ゴルフクラブ１０同士の接触による音の発生や損傷を回避することができる。また、ゴルフクラブ１０の整列配置によって、ゴルフクラブ１０の取出しミスの防止、速やかなゴルフクラブ１０の取出し及び速やかなゴルフクラブ１０の収納を図ることができる。また、ゴルフクラブ１０を収納した状態におけるゴルフバッグ１の外観を良好にすることができる。
【００４３】
また、ゴルフクラブ１０のヘッド間に壁面等の障害物がないため、ゴルフクラブ１０の収納本数を多くすることができる。特に、各ヘッドの支持位置の高さを変えることにより、空間を有効活用し、一層多くのゴルフクラブ１０をゴルフバッグ１に収納することが可能となる。その結果、ユーザの好みに応じた十分な本数のゴルフクラブ１０をゴルフバッグ１に収納することができる。
【００４４】
また、ゴルフクラブ１０の各ヘッドの支持位置の高さを変えれば、外観が良好となる。加えて、高い場所からアイアン等のゴルフクラブ１０を番手順に整理配置することができる。このため、ヘッドの高低差を利用するとによって、ゴルフクラブ１０の番手の確認及び識別を容易に行うことが可能となる。その結果、ゴルフクラブ１０を速やかに取出し、収納することができる。
【００４５】
更に、ゴルフクラブ支持器具３を口枠５の仕切り２０に取付ける構造とすることにより、多用な構造を有する口枠５にゴルフクラブ支持器具３を取付けることができる。このため、既存のバッグにアタッチメントとしてゴルフクラブ支持器具３を取付けることも可能となる。
【００４６】
更に、支持部３０の、荷重が掛かる主要な部分の構造を板状又はフレーム状とすることにより、構造を簡易にしつつ剛性を確保することが可能となる。その結果、材料の選択肢を広げ、製造コストの低減に繋げることができる。
【００４７】
（第２の実施形態）
図９は本発明の第２の実施形態に係るゴルフバッグに備えられるゴルフクラブ支持器具の構造例を示す正面図、図１０は図９に示すゴルフクラブ支持器具の右側面図、図１１は図９に示すゴルフクラブ支持器具の背面図である。
【００４８】
第２の実施形態におけるゴルフバッグでは、ゴルフクラブ支持器具３Ａの支持部３０にスペーサ４０を設けた点が第１の実施形態におけるゴルフバッグ１と相違する。第２の実施形態におけるゴルフバッグの他の構成及び作用については第１の実施形態におけるゴルフバッグ１の構成及び作用と実質的に同等である。このため、第２の実施形態については、ゴルフクラブ支持器具３Ａのみ図示し、同一の構成については同符号を付して説明を省略する。
【００４９】
第２の実施形態におけるゴルフクラブ支持器具３Ａの支持部３０には、スペーサ４０が設けられる。スペーサ４０は、複数のゴルフクラブの少なくとも一部のシャフトと支持部３０との間に形成される空隙を埋める位置に配置される。図示された例では、傾斜した三角柱形状を有するスペーサ４０が、長さ方向を第１の支持部３０Ａの傾斜方向に向けて設けられている。
【００５０】
図１２は図９に示すゴルフクラブ支持器具３Ａの支持部３０にゴルフクラブをセットした状態を示す斜視図である。
【００５１】
ゴルフクラブ支持器具３Ａを備えたゴルフバッグ１Ａは、乗用カートに乗せて運搬される。ゴルフバッグ１Ａを乗用カートに乗せると、図１２に示すようにゴルフバッグ１Ａが傾斜する場合がある。この場合、ゴルフクラブ１０が自重によって支持部３０に設けられた溝３２の長さ方向に移動してしまう恐れがある。特に収納体２の中央付近に収納されるアイアン等のゴルフクラブ１０が移動すると、収納体２の縁側に収納されるパター等の他のゴルフクラブ１０に接近又は接触し、ゴルフクラブ１０の出し入れの妨げとなる可能性がある。
【００５２】
そこで、図１２に示すように、少なくとも中央付近に収納されるゴルフクラブ１０を支持する第１の支持部３０Ａの適切な位置にスペーサ４０を設ければ、第１の支持部３０Ａを形成する溝３２の長さ方向におけるゴルフクラブ１０の移動を抑止することができる。
【００５３】
尚、図示された例では、第２の支持部３０Ｂが３本のゴルフクラブ１０を指示する構造となっており、パターの収納スペースが別に設けられている。第２の支持部３０Ｂによって支持されるゴルフクラブ１０が自重によって第２の支持部３０Ｂを形成する溝３２の長さ方向に滑ったとしても、他のゴルフクラブ１０の収納スペースに影響を及ぼさないため、図１２に示す例では、第２の支持部３０Ｂにはスペーサ４０が設けられていない。但し、もちろん、第２の支持部３０Ｂにスペーサ４０を設けるようにしてもよい。
【００５４】
以上の第２の実施形態におけるゴルフバッグ１Ａは、ゴルフクラブ支持器具３Ａの支持部３０に、ゴルフバッグ１Ａに収納される複数のゴルフクラブ１０の少なくとも一部の、支持部３０を形成する溝３２の長さ方向における移動を抑止するためのスペーサ４０を設けたものである。このため、第２の実施形態によれば、第１の実施形態と同様なゴルフクラブ１０の回転の抑止に加え、ゴルフクラブ１０の平行移動についても抑止することができる。
【００５５】
（他の実施形態）
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【００５６】
１、１Ａ  ゴルフバッグ
２  収納体
３、３Ａ  ゴルフクラブ支持器具
４  ボトム
５  口枠
６  ショルダーベルト
１０  ゴルフクラブ
２０  仕切り
３０  支持部
３０Ａ  第１の支持部
３０Ｂ  第２の支持部
３１  連結部
３２  溝
４０  スペーサ
【図１】
0005997124.tif 000002
【図２】
0005997124.tif 000003
【図３】
0005997124.tif 000004
【図４】
0005997124.tif 000005
【図５】
0005997124.tif 000006
【図６】
0005997124.tif 000007
【図７】
0005997124.tif 000008
【図８】
0005997124.tif 000009
【図９】
0005997124.tif 000010
【図１０】
0005997124.tif 000011
【図１１】
0005997124.tif 000012
【図１２】
0005997124.tif 000013